(57)【要約】【課題】作業者の安全を確実に保護すると共に、首部における風通しを良好なものとし、作業中の快適性の向上を図ること。【解決手段】頭部Ｈを保護するヘルメット２と、ヘルメット２の後部Ｂから下方に垂下って首部Ｎを覆うシコロ３とを備えたシコロ付きヘルメット１であって、シコロ３は、任意形状に変形させてその形状に維持することが可能な針金６を備えるように構成した。【選択図】図１
2013167034.tif 000002
【特許請求の範囲】
【請求項１】
頭部を保護するヘルメットと、該ヘルメットの後部から下方に垂下って首部を覆うシコロとを備えたシコロ付きヘルメットであって、
前記シコロは、任意形状に変形させてその形状に維持することが可能な補強部材を備えていることを特徴とするシコロ付きヘルメット。
【請求項２】
前記補強部材は、前記シコロの上下方向に沿って備えられることを特徴とする請求項１に記載のシコロ付きヘルメット。
【請求項３】
前記補強部材は、前記シコロの幅方向における両端部に備えられることを特徴とする請求項２に記載のシコロ付きヘルメット。
【請求項４】
前記補強部材は、針金であることを特徴とする請求項１〜３のいずれかに記載のシコロ付きヘルメット。
【請求項５】
前記針金は、ステンレス製であることを特徴とする請求項４に記載のシコロ付きヘルメット。
【請求項６】
前記ヘルメットと前記シコロとを着脱自在とする着脱部材が備えられていることを特徴とする請求項１〜５のいずれかに記載のシコロ付きヘルメット。
【請求項７】
前記着脱部材は、面ファスナーであることを特徴とする請求項６に記載のシコロ付きヘルメット。
【発明の詳細な説明】
【技術分野】
【０００１】
本発明は、シコロ付きヘルメットに係り、詳しくは、作業者の頭部のみならず首部をも保護すると共に、着用時における快適性を向上させるための技術に関する。
【背景技術】
【０００２】
周知のように、工場内で作業を行う作業者には、落下物や飛翔物から、或いは、作業者の転倒や転落から人体を保護することを目的として、ヘルメット等に代表される種々の安全保護具を着用することが推奨されている。
【０００３】
例えば、近年のガラス製造工場においては、そのサイズが人間の身長をも凌駕する大型のガラス基板が大量に製造されており、このようなガラス基板が破損することによって生じるガラス片から頭部及び首部を保護するため、ヘルメットの後部にシコロと称される布製の保護具を垂下った状態で取り付けてなるシコロ付きヘルメットが常用されている。
【０００４】
このシコロ付きヘルメットによれば、ガラス片の落下により、人体の頭部や首部に切創が生じるような事態を回避することが可能である。
【０００５】
ところで、このような安全保護具は、単に人体の保護を図るための機能のみが求められるわけではなく、作業者が快適に作業に従事できるような機能をも有していることが要求される。この点において、上記のシコロ付きヘルメットには、下記のような弱点があった。
【０００６】
すなわち、猛暑の厳しい夏場等の作業において、工場内の気温の上昇に伴って作業者が発汗することが避けられず、首部から滲み出た汗によってシコロと首部とが密着することにより、作業者の首部における風通しが悪化しやすくなる。そして、これに起因して首部に熱が籠もり、作業者の体温が上昇することで、熱中症を発症するような事態を招いていた。
【０００７】
このような問題への対策として、下記の特許文献１には、首部における風通しを良好なものとすることのできる日除け付きヘルメットが開示されている。具体的には、ヘルメットの後部に張り出し部材を設け、この張り出し部材によって、ヘルメットの後部から垂下る日除け部材の垂下り位置をヘルメットから遠ざかる方向にずらした構成が開示されている。
【０００８】
同文献に開示された日除け付きヘルメットによれば、日除け部材の垂下り位置がヘルメットの後部から遠ざかる方向にずらされていることにより、発汗による首部と日除け部材との密着を防止でき、首部と日除け部材との間に風を流通させるための空間を確保することが可能である。
【先行技術文献】
【特許文献】
【０００９】
【特許文献１】特開２００６−２１９７９１号公報
【発明の概要】
【発明が解決しようとする課題】
【００１０】
しかしながら、上記特許文献１に開示された日除け付きヘルメットにおいて、日除け部材は布製であり、且つヘルメットの後部から張り出し部材を介して重力により下方に垂下っているに過ぎないため、強風等によって容易に捲くれあがってしまう。また、上述のような猛暑の厳しい環境下においては、作業者の体調や快適性に配慮し、扇風機やスポットクーラー等の冷房機器を使用する場合があるが、この際にも、送風の圧力によって、日除け部材が捲くれあがってしまう。このような事態を生じると、作業者の首部が露出し、日除け機能が損なわれるだけでなく、作業者の首部を保護することが実質的に不可能となり、作業者が負傷する危険性を高めてしまう結果となる。
【００１１】
さらに、上記の日除け付きヘルメットを着用した際には、日除け部材の状態を作業者が視認することが困難であるという事情も重なって、上記のような冷房機器を使用した快適な環境下においては、日除け部材が捲くれあがっていることに作業者が気付きにくい場合があり、上記の危険性に係る問題をより顕著なものとしていた。
【００１２】
加えて、上記の日除け付きヘルメットによるにしても、日除け部材が布製であることから、後方からの強風或いは送風の圧力等によって、日除け部材が首部に纏わり付くおそれがある。そのため、発汗等による首部と日除け部材との密着を確実に防止することができず、風通しの悪化の問題が依然として残存する。
【００１３】
上記事情に鑑みなされた本発明は、作業者の安全を確実に保護すると共に、首部における風通しを良好なものとし、作業中の快適性の向上を図ることを技術的課題とする。
【課題を解決するための手段】
【００１４】
上記課題を解決するために創案された本発明は、頭部を保護するヘルメットと、ヘルメットの後部から下方に垂下って首部を覆うシコロとを備えたシコロ付きヘルメットであって、シコロは、任意形状に変形させてその形状に維持することが可能な補強部材を備えていることに特徴付けられる。
【００１５】
このような構成によれば、シコロが任意形状に変形させてその形状に維持することが可能な補強部材を備えていることにより、シコロの形状を補強部材の変形に伴って作業者が望む任意の形状に変形させることが可能となる。これにより、作業者の体感温度に合わせて、首部とシコロとの間に形成される空間を任意の大きさに設定することができるため、首部の風通しを良好に確保することが可能となる。また、補強部材は、作業者が任意形状に変形させた後、容易に変形するものではないため、作業中に冷房機器を使用するような場合においても、シコロが冷房機器からの送風による風圧によって捲くれあがることを防止できる。その結果、ガラス片等によって頭部や首部に切創が生じるような事態を的確に回避することができる。
【００１６】
上記の構成において、補強部材は、シコロの上下方向に沿って備えられることが好ましい。
【００１７】
このようにすれば、シコロの形状を、作業者の首部との間に適切な空間を形成し得る形状に容易に変形させることが可能となると共に、シコロに大きな風圧が作用した場合においても、上下方向に沿って備えられた補強部材の下部によって、シコロの捲くれあがりを防止することができる。このため、より確実に首部の風通しを良好に確保できると共に、より安全に首部を保護することが可能となる。
【００１８】
上記の構成において、補強部材は、シコロの幅方向における両端部に備えられることが好ましい。
【００１９】
このようにすれば、シコロの幅方向における両端部に備えられた補強部材によって、シコロ全体に亘って変形させる上で有利になると共に、シコロが全体的に捲くれ上がることを効果的に防止できる。これにより、首部における風通しの確保と安全の保護とがさらに良好なものとなる。
【００２０】
上記の構成において、補強部材は、針金であることが好ましい。
【００２１】
このようにすれば、より容易にシコロを作業者の望む任意の形状に変形させることが可能となる。また、針金は軽量であるため、首部に過度な負担が掛かることも抑制することができる。
【００２２】
上記の構成において、針金は、ステンレス製であることが好ましい。
【００２３】
このようにすれば、作業者の汗が針金に付着することによって、針金が錆びてしまう等のような事態を防止することができる。
【００２４】
上記の構成において、ヘルメットとシコロとを着脱自在とする着脱部材が備えられていることが好ましい。
【００２５】
このようにすれば、シコロが不要となる作業条件下においては、通常のヘルメットとして使用することが可能となる。また、シコロに不具合を生じた際にも、極めて簡便にシコロを取り替えることができる。
【００２６】
上記の構成において、着脱部材は、面ファスナーであることが好ましい。
【００２７】
このようにすれば、ヘルメットとシコロとの着脱がより容易なものとなる。
【発明の効果】
【００２８】
以上のように、本発明によれば、作業者の安全を確実に保護できると共に、首部における風通しを良好なものとすることが可能となり、作業中の快適性の向上を図ることができる。
【図面の簡単な説明】
【００２９】
【図１】本発明の実施形態に係るシコロ付きヘルメットを示す側面図である。
【図２】本発明の実施形態に係るシコロ付きヘルメットを示す背面図である。
【図３】本発明の実施形態に係るシコロ付きヘルメットの使用状況を示す側面図である。
【発明を実施するための形態】
【００３０】
以下、本発明の実施形態について添付の図面に基づいて説明する。図１は、本発明の実施形態に係るシコロ付きヘルメットを示す側面図であり、図２は、その背面図である。これらの図に示すようにシコロ付きヘルメット１は、頭部Ｈを保護するヘルメット２と、ヘルメット２の後部Ｂから垂下って首部Ｎを覆うシコロ３とで構成される。
【００３１】
ヘルメット２とシコロ３には、これらを着脱自在とする着脱部材として、一対の面ファスナー４が備えられている。ヘルメット２に備えられた面ファスナー４は、ヘルメット２の後部Ｂに貼着されており、シコロ３に備えられた面ファスナー４は、シコロ３の上端部Ｕに沿って縫製されている。
【００３２】
シコロ３には、補強部材として、シコロ３の上下方向に沿って三本の針金６が備えられており、一本はシコロ３の幅方向における中央部に配置され、残りの二本はシコロ３の幅方向における両端部Ｅに配置されている。また、三本の針金６は、シコロ３に各々縫製された三つの袋５に内包されると共に、その一端は袋５を介して面ファスナー４上に位置している。なお、シコロ３は、アラミド繊維（ケプラー）を材質とした布であり、針金６は、作業者の発汗によって錆びることを防止するため、ステンレス製となっている。
【００３３】
ここで、針金６の重みによって作業者の首部Ｎに過度な負担が掛かることを抑制するため、また、冷房機器からの送風の風圧によって針金６が変形することを防止するため、針金６の径は、０．２ｍｍ〜２．０ｍｍであることが好ましい。
【００３４】
以下、上記シコロ付きヘルメット１の使用状況について説明する。先ず、図３に示すように、作業者が手動でシコロ３に備えられた針金６を変形させる。これにより、針金６の変形に伴ってシコロ３の形状が作業者の望む任意の形状へと変形され維持される。
【００３５】
このようにすれば、作業者の体感温度に合わせて、シコロ３を首部Ｎとの間に適切な空間Ｓを形成し得る形状に容易に変形させることができる。その結果、空間Ｓに風Ｗ１を好適に流入させることが可能となり、首部Ｎの風通しを良好に確保することができる。
【００３６】
また、針金６は、作業者が任意形状に変形させた後、容易に変形するものではないため、作業中に冷房機器を使用するような場合においても、シコロ３の下端部Ｄや両端部Ｅが冷房機器からの送風Ｗ２による風圧によって捲くれあがることを防止できる。従って、ガラス片Ｇによって頭部Ｈや首部Ｎに切創が生じるような事態を的確に回避することができる。
【００３７】
さらに、三本の針金６がシコロ３の上下方向に沿って配置され、且つその内の二本がシコロ３の幅方向における両端部Ｅに配置されていることにより、上述の効果に加えて、シコロ３全体の形状を容易に変形させることが可能となる。
【００３８】
ここで、本発明に係るシコロ付きヘルメットの構成は、上記の実施形態に係るシコロ付きヘルメット１に限定されるものではない。例えば、上記の実施形態においては、補強部材として針金６を使用しているが、プラスチック等を使用してもよい。また、シコロ３に備えられる針金６の本数や配置も上記の実施形態に限られるものではなく、作業者の好みに合わせて適宜本数や配置を変更してもよい。例えば、針金６を上下方向のみならず、幅方向にも沿うように配置したり、傾斜状の針金６を交差させて配置したりすることもできる。さらに、シコロ３の材質としてアラミド繊維を使用しているが、これに限らず、ガラス片Ｇ等によるシコロ３の切り裂きを防止できる材質であれば他の材質を使用してもよい。加えて、ヘルメット２とシコロ３とを着脱自在とする着脱部材として面ファスナー４ではなく、ボタン等を使用してもよい。
【符号の説明】
【００３９】
１          シコロ付きヘルメット
２          ヘルメット
３          シコロ
４          面ファスナー
５          袋
６          針金
Ｈ          頭部
Ｎ          首部
Ｂ          ヘルメット後部
Ｕ          シコロ上端部
Ｄ          シコロ下端部
Ｅ          シコロ両端部
Ｓ          空間
Ｇ          ガラス片
Ｗ１        風
Ｗ２        送風
【図１】
2013167034.tif 000003
【図２】
2013167034.tif 000004
【図３】
2013167034.tif 000005